(57)【要約】【課題】光記録型の表示媒体に画像を記録する場合において、表示媒体に表示される画像のコントラストの低下を抑制すること。【解決手段】本発明の実施形態に係る記録装置は、光記録型の表示媒体に対して、指示体の指示に応じた画像を記録するときに印加する電圧について、電圧の印加開始、印加停止のときの電圧値が変化する時間を制御して、液晶層に分圧される電圧に生じる立ち上がり時のピーク、立ち下がり時のピークを小さくする。これにより、既に記録されている画像のコントラストの低下を抑制する。【選択図】図７
2011123264.tif 000002
【特許請求の範囲】
【請求項１】
分圧されることにより印加された電圧が第１電圧値未満である場合には配向状態が変化せず、第１電圧値以上第２電圧値未満である場合には第１配向状態、前記第２電圧値以上である状態から予め決められた時間内に前記第１電圧値未満の予め決められた第３電圧値まで減少した場合には第２配向状態となる液晶層、および光が照射されると抵抗値が変化する感光層を含む積層された複数の層を有する光記録型表示媒体であって、当該光記録型表示媒体に電圧が印加されると当該複数の層により当該電圧が分圧されるとともに、前記液晶層に分圧される割合が当該電圧印加中に減少していく光記録型表示媒体に対して、電圧を印加する電圧印加手段と、
前記液晶層に分圧される割合の時間の経過に伴う減少の程度に対応した時間を変化時間として設定する設定手段と、
前記感光層に光が照射された領域に対応する前記液晶層のうち第２配向状態である領域が第１配向状態に変化する印加電圧値の電圧を、前記光記録型表示媒体に対して印加させるように前記電圧印加手段を制御する電圧制御手段と
を具備し、
前記電圧制御手段は、前記制御における電圧の印加を開始してから前記印加電圧値に到達させるまでの電圧値を変化させる時間、または当該電圧の印加を停止するまでの電圧値を変化させる時間を、前記変化時間に対応させた電圧変化時間で制御する
ことを特徴とする記録装置。
【請求項２】
前記電圧変化時間は、前記予め決められた時間より長い時間であり、
前記電圧制御手段は、前記制御を行う前に、前記液晶層の少なくとも一部の領域が第２配向状態に変化するように、前記電圧印加手段によって前記光記録型表示媒体に対して印加させる
ことを特徴とする請求項１に記載の記録装置。
【請求項３】
前記電圧制御手段は、前記制御において電圧を印加する時間が予め決められた時間より短い場合に、当該時間より長い場合に比べて、当該電圧の印加の停止に係る時間を短くする
ことを特徴とする請求項１または請求項２に記載の記録装置。
【請求項４】
利用者による入力を受け付ける受付手段をさらに具備し、
前記設定手段は、前記受付手段によって受け付けられた入力により、予め測定した前記液晶層に分圧される割合の時間の経過に伴う減少の程度に対応した時間を前記変化時間として設定する
ことを特徴とする請求項１乃至請求項３のいずれかに記載の記録装置。
【請求項５】
前記光記録型表示媒体における前記液晶層に分圧される割合の時間の経過に伴う減少の程度に関する物理量を測定する測定手段をさらに具備し、
前記設定手段は、前記測定手段によって測定された物理量に応じた時間を前記変化時間として設定する
ことを特徴とする請求項１乃至請求項３のいずれかに記載の記録装置。
【請求項６】
前記電圧制御手段は、前記制御が行われた後に再び前記制御を行う場合には、先に前記制御が行われてから再び前記制御が行われるまでの時間が予め決められた時間より短い場合に、当該時間より長い場合に比べて、再び行う前記制御における電圧の印加の開始に係る時間を短くする
ことを特徴とする請求項１乃至請求項５のいずれかに記載の記録装置。
【請求項７】
前記感光層に光を照射する照射手段と、
前記電圧制御手段による前記制御における電圧の印加を開始してから前記印加電圧値に到達させるまでの電圧値を変化させる期間において、前記照射手段から照射される光の強度を変化させる照射制御手段と
をさらに具備する
ことを特徴とする請求項１乃至請求項６のいずれかに記載の記録装置。
【発明の詳細な説明】
【技術分野】
【０００１】
本発明は、記録装置に関する。
【背景技術】
【０００２】
印加される電圧と照射される光とに応じた画像が記録される光記録型の表示媒体が知られている。ペン状の指示体を用いて、この表示媒体に表示されている画像に追記を行う技術が知られている（例えば、特許文献１参照）。
【先行技術文献】
【特許文献】
【０００３】
【特許文献１】特開２００５−３２１７３６号公報
【発明の概要】
【発明が解決しようとする課題】
【０００４】
本発明は、光記録型の表示媒体に画像を記録する場合において、表示媒体に表示される画像のコントラストの低下を抑制することにある。
【課題を解決するための手段】
【０００５】
本発明の請求項１に係る記録装置は、分圧されることにより印加された電圧が第１電圧値未満である場合には配向状態が変化せず、第１電圧値以上第２電圧値未満である場合には第１配向状態、前記第２電圧値以上である状態から予め決められた時間内に前記第１電圧値未満の予め決められた第３電圧値まで減少した場合には第２配向状態となる液晶層、および光が照射されると抵抗値が変化する感光層を含む積層された複数の層を有する光記録型表示媒体であって、当該光記録型表示媒体に電圧が印加されると当該複数の層により当該電圧が分圧されるとともに、前記液晶層に分圧される割合が当該電圧印加中に減少していく光記録型表示媒体に対して、電圧を印加する電圧印加手段と、前記液晶層に分圧される割合の時間の経過に伴う減少の程度に対応した時間を変化時間として設定する設定手段と、前記感光層に光が照射された領域に対応する前記液晶層のうち第２配向状態である領域が第１配向状態に変化する印加電圧値の電圧を、前記光記録型表示媒体に対して印加させるように前記電圧印加手段を制御する電圧制御手段とを具備し、前記電圧制御手段は、前記制御における電圧の印加を開始してから前記印加電圧値に到達させるまでの電圧値を変化させる時間、または当該電圧の印加を停止するまでの電圧値を変化させる時間を、前記変化時間に対応させた電圧変化時間で制御することを特徴とする。
【０００６】
本発明の請求項２に係る記録装置は、請求項１に記載の記録装置において、前記電圧変化時間は、前記予め決められた時間より長い時間であり、前記電圧制御手段は、前記制御を行う前に、前記液晶層の少なくとも一部の領域が第２配向状態に変化するように、前記電圧印加手段によって前記光記録型表示媒体に対して印加させることを特徴とする。
【０００７】
本発明の請求項３に係る記録装置は、請求項１または請求項２に記載の記録装置において、前記電圧制御手段は、前記制御において電圧を印加する時間が予め決められた時間より短い場合に、当該時間より長い場合に比べて、当該電圧の印加の停止に係る時間を短くすることを特徴とする。
【０００８】
本発明の請求項４に係る記録装置は、請求項１乃至請求項３のいずれかに記載の記録装置において、利用者による入力を受け付ける受付手段をさらに具備し、前記設定手段は、前記受付手段によって受け付けられた入力により、予め測定した前記液晶層に分圧される割合の時間の経過に伴う減少の程度に対応した時間を前記変化時間として設定することを特徴とする。
【０００９】
本発明の請求項５に係る記録装置は、請求項１乃至請求項３のいずれかに記載の記録装置において、前記光記録型表示媒体における前記液晶層に分圧される割合の時間の経過に伴う減少の程度に関する物理量を測定する測定手段をさらに具備し、前記設定手段は、前記測定手段によって測定された物理量に応じた時間を前記変化時間として設定することを特徴とする。
【００１０】
本発明の請求項６に係る記録装置は、請求項１乃至請求項５のいずれかに記載の記録装置において、前記電圧制御手段は、前記制御が行われた後に再び前記制御を行う場合には、先に前記制御が行われてから再び前記制御が行われるまでの時間が予め決められた時間より短い場合に、当該時間より長い場合に比べて、再び行う前記制御における電圧の印加の開始に係る時間を短くすることを特徴とする。
【００１１】
本発明の請求項７に係る記録装置は、請求項１乃至請求項６のいずれかに記載の記録装置において、前記感光層に光を照射する照射手段と、前記電圧制御手段による前記制御における電圧の印加を開始してから前記印加電圧値に到達させるまでの電圧値を変化させる期間において、前記照射手段から照射される光の強度を変化させる照射制御手段とをさらに具備することを特徴とする。
【発明の効果】
【００１２】
本発明の請求項１に記載の発明によれば、表示媒体に印加する電圧の印加開始または印加停止のときの電圧を変化させる時間を制御しない場合に比べて、表示媒体に表示される画像のコントラストの低下を抑制することができる。
本発明の請求項２に記載の発明によれば、表示媒体に印加する電圧の印加開始または印加停止のときの電圧を変化させる時間を制御しない場合に比べて、表示媒体に表示される画像のコントラストの低下を抑制することができる。
本発明の請求項３に記載の発明によれば、表示媒体に印加する電圧の印加停止のときの電圧を変化させる時間を、表示媒体への電圧印加が行われる時間に応じて制御しない場合に比べて、表示媒体に表示される画像のコントラストの低下を抑制することができる。
本発明の請求項４に記載の発明によれば、表示媒体に印加する電圧の印加開始または印加停止のときの電圧を変化させる時間を、予め測定した表示媒体の特性を反映させた時間とすることができる。
本発明の請求項５に記載の発明によれば、表示媒体に印加する電圧の印加開始または印加停止のときの電圧を変化させる時間を、表示媒体の特性を測定して反映させた時間とすることができる。
本発明の請求項６に記載の発明によれば、表示媒体への電圧印加が複数回にわたって行われるときの表示媒体に印加する電圧の印加開始のときの電圧を変化させる時間を、先に行われた電圧印加からの再び行われるまでの間隔に応じて制御しない場合に比べて、表示媒体に表示される画像のコントラストの低下を抑制することができる。
本発明の請求項７に記載の発明によれば、感光層に照射する光の強度を制御しない場合に比べて、表示媒体に表示される画像のコントラストの低下を抑制することができる。
【図面の簡単な説明】
【００１３】
【図１】実施形態である記録装置に係る記録システムの全体構成を示す図である。
【図２】実施形態に係る表示媒体の断面の構造を示す図である。
【図３】液晶層に分圧された電圧の変化に応じた反射率の変化を示す模式図である。
【図４】実施形態に係る記録装置のハードウェア構成を示すブロック図である。
【図５】実施形態に係る照射部の構成を示す図である。
【図６】実施形態に係る制御部が手書きによる画像の記録を行うときに実現する機能的構成を示す機能ブロック図である。
【図７】実施形態に係る電圧制御部、照射制御部および調光制御部における制御態様を説明する図である。
【図８】シミュレーションに用いた液晶層および感光層の等価回路を示す図である。
【図９】電圧ＶＡとしてパルス電圧を印加した場合における電圧ＶＢの電圧値の変化を示す図である。
【図１０】立ち上がり時間ＴＡ、立ち下がり時間ＴＢにおいて指数関数的に電圧値が変化する電圧ＶＡ、および電圧ＶＡを印加した場合における電圧ＶＢの電圧値の変化を示す図である。
【図１１】立ち上がり時間ＴＡ、立ち下がり時間ＴＢにおいて一定の割合で電圧値が変化する電圧ＶＡ、および電圧ＶＡを印加した場合における電圧ＶＢの電圧値の変化を示す図である。
【発明を実施するための形態】
【００１４】
＜実施形態＞
図１は、本発明の一実施形態である記録装置に係る記録システムの全体構成を示す図である。図１に示すように、記録システム１０は、記録装置１００と、表示媒体２００と、指示体３００とを備える。
記録装置１００は、表示媒体２００に電圧を印加する構成を含んでいる。表示媒体２００は、例えば、記録された画像を表示するコレステリック液晶を有する光記録型の電子ペーパなどであって、記録装置１００に対して着脱される構成を有し、予め決められた状態で記録装置１００に装着されているときに、画像が記録される。指示体３００は、例えば、棒状の物体であり、表示媒体２００の表面の位置を指示する。指示体３００は、使用者が手で持ちやすい形状であることが望ましい。また、指示体３００は、使用者が指示する位置が明確となるように、先端（指示する側）に向かって細くなる形状であると、より望ましい。この例においては、表示媒体２００に対する画像の記録は、使用者の手書きによる記録の場合について説明する。手書きによる記録とは、使用者が指示体３００によって表示媒体２００の表面を指示し、指示した位置を移動させると、その指示した位置の階調が変化することによって、画像を記録することである。
【００１５】
図２は、表示媒体２００の断面の構造を示す図である。表示媒体２００は、第１の面２００ａと第２の面２００ｂとを有する。第１の面２００ａは、記録された画像を表示する面である。また、第１の面２００ａは、指示体３００により指示される側の面であり、図１に示すように、表示媒体２００が記録装置１００に装着されている場合において露出し、指示体３００によって位置が指示される面である。第２の面２００ｂは、図２に示す各層を介して第１の面２００ａと対向する面であり、表示媒体２００が記録装置１００に装着されている場合において記録装置１００側を向き、画像を記録するときの光が照射される面となる。
【００１６】
第１の面２００ａと第２の面２００ｂの間には、第１の面２００ａ側から順に、保護層２１０、透明導電層２２０、液晶層２３０、感光層２４０、透明導電層２５０および保護層２６０が形成されている。
保護層２１０、２６０は、表示媒体２００の表面を保護するための層である。保護層２１０及び２６０は、例えば、ＰＥＴ（ポリエチレンテレフタラート）樹脂を用いて作られる。
透明導電層２２０、２５０は、液晶層２３０および感光層２４０に電圧を印加するための層である。透明導電層２２０、２５０は、いわゆる透明電極であり、例えば、ＩＴＯ（酸化インジウム錫）を用いて作られる。透明導電層２２０、２５０には、それぞれ端子２２１、２５１が電気的に接続され、表示媒体２００が記録装置１００に装着されている場合に、記録装置１００から印加される電圧を透明導電層２２０、２５０に伝達する。このようにして、記録装置１００から印加された電圧は、透明導電層２２０、２５０に挟まれる各層において分圧され、この例においては、液晶層２３０と感光層２４０において分圧される。
【００１７】
液晶層２３０は、液晶層２３０に分圧される電圧に応じて配向状態を変化させ、反射する光を変化させる表示素子を含む層であり、例えば、バインダ樹脂中にマイクロカプセル状のコレステリック液晶表示素子が複数分散されたものである。
感光層２４０は、例えば、有機光導電体（Organic Photoconductor：ＯＰＣ）であって、照射される光に応じて電気抵抗を変化させる。その結果、記録装置１００から電圧が印加されている場合において、光が照射された領域と照射されてない領域とでは、その領域に対応する液晶層２３０に分圧される電圧が異なる。この例においては、感光層２４０は、光が照射されると電気抵抗が低くなり、液晶層２３０に分圧される電圧を増加させる。
【００１８】
コレステリック液晶は、螺旋状に配向した棒状分子であり、プレーナ配向状態、フォーカルコニック配向状態、ホメオトロピック配向状態の３種類の配向状態となりうる。このうち、プレーナ配向状態とフォーカルコニック配向状態は、無電界で双安定に存在する。ホメオトロピック配向状態とは、液晶層２３０に螺旋配向が解けるある特定の値以上の強度の電界が発生しているときに現れる配向状態であり、この電界を発生させている電圧の印加が停止し、予め決められた時間内に予め決められた電圧値未満に減少すると、プレーナ配向状態となる。プレーナ配向状態においては、液晶の螺旋ピッチに応じた波長の光を干渉反射する特性を有し、この例においては、白色を呈する。一方、フォーカルコニック配向状態にある場合は光を透過して感光層２４０の光吸収に応じた色、この例においては黒色を呈するものとする。なお、液晶層２３０と感光層２４０とに挟まれるように着色層を設けることにより、着色層の色を呈するようにしてもよい。
【００１９】
図３は、液晶層２３０に分圧された電圧の変化に応じた反射率の変化を示す模式図である。図３に示すように、液晶層２３０に分圧された電圧がしきい電圧値Ｖｐｆ未満である場合には、その電圧により生じる電界の強度によっては、液晶層２３０におけるコレステリック液晶の配向状態が変化せずに維持される。液晶層２３０に分圧された電圧がしきい電圧値Ｖｐｆ以上であり、しきい電圧値Ｖｆｈ未満である場合には、その電圧により生じる電界の強度によって、フォーカルコニック配向状態となり黒色を呈して反射率が減少する。すなわち、プレーナ配向状態であった領域はフォーカルコニック配向状態となり、フォーカルコニック配向状態であった領域はそのままの配向状態を維持する。液晶層２３０に分圧された電圧がしきい電圧値Ｖｆｈ以上である場合には、その電圧により生じる電界によって、ホメオトロピック配向状態となり、電圧の印加が停止されると、プレーナ配向状態となり白色を呈して反射率が増加する。このように、液晶層２３０は、分圧されることにより印加された電圧の大きさに応じて、フォーカルコニック配向状態またはプレーナ配向状態のいずれかの配向状態となり、画像が記録される。
ここで、液晶層２３０に分圧される電圧に応じて配向状態が変化するが、この変化は直ちに生じるのではなく、配向状態の変化は、分圧される電圧の大きさ、およびその電圧が印加される時間に応じて行われる。そのため、その電圧が印加されている時間が短いほど、配向状態の変化が少なく、結果として反射率の変化が少ない場合がある。
【００２０】
図４は、記録装置１００のハードウェア構成を示すブロック図である。図５に示すように、記録装置１００は、制御部１１０、電圧印加部１２０、位置特定部１３０、照射部１４０、記憶部１５０および操作部１６０を備える。
制御部１１０は、ＣＰＵ（Central Processing Unit）等の演算処理装置やメモリを備え、予め記憶されたプログラムを実行することにより、記録装置１００の各部の動作を制御する。
電圧印加部１２０は、電源を備え、表示媒体２００が記録装置１００に装着された状態においては端子２２１、２５１と導通して、制御部１１０の制御によって表示媒体２００に電圧を印加する。
【００２１】
位置特定部１３０は、指示体３００により指示された第１の面２００ａ上の位置（以下、「指示位置」という。）を特定する。位置特定部１３０は、例えば、指示体３００の先端から超音波、赤外線などが発され、予め決められた複数の位置で超音波を検知し、これらの超音波の相違に基づいて当該先端の位置を特定する構成（いわゆる波動方式）を採用し得る。
【００２２】
なお、位置特定部１３０は、電磁誘導を利用し位置を特定する方式も採用し得る。この方式においては、指示体３００は、その先端にコイルが一つ埋め込まれ、コンデンサと接続してＬＣ共振回路を形成している。位置特定部１３０は、Ｘ座標検出用とＹ座標検出用の２系統のセンサコイル群により磁場を発生させて、指示体３００のコイルを介した電磁誘導によりコンデンサを充電する。そして、位置特定部１３０は、センサコイル群による磁場の発生を停止すると、指示体３００のコンデンサに充電された電力がコイルに放電し、これによって生じた磁界をセンサコイル群が検知することによって、指示体３００により指示された位置を特定する。
【００２３】
また、指示体３００は、その先端部への他の物体の接触を検知する接触センサを有する。この接触センサは、例えば、指示体３００の先端部への圧力を測定する圧力センサなどを用いて構成され、測定された圧力が予め決められた値を超えると先端部への他の物体の接触を検知する。位置特定部１３０は、指示体３００が有する接触センサから、接触の検知の有無を示す信号を取得して、接触の有無を特定する。これにより、位置特定部１３０は、指示体３００の先端部における接触の検知がある状態を、指示体３００が表示媒体２００に対して接触している状態として特定する。これにより、位置特定部１３０は、指示位置の特定だけなく、指示体３００が表示媒体２００に接触して、筆圧が生じている状態（筆圧オン）である期間を特定する。
そして、位置特定部１３０は、この例においては、指示体３００が表示媒体２００に対して接触している状態であるときに、指示位置を示すデータ（以下、位置データという）を出力する。なお、指示位置を示すデータは指示体３００の接触状態にかかわらず出力されるものとして、さらに接触の検知の有無を示すデータを出力して、これらのデータを取得することによって筆圧オンである期間を特定させてもよい。
【００２４】
照射部１４０は、制御部１１０の制御によって、記録装置１００に装着された表示媒体２００に対して光を照射する。表示媒体２００のうち光が照射される領域は、位置特定部１３０により特定された指示位置に対応する領域である。照射部１４０は、上述したように、表示媒体２００における指示体３００によって指示される側と反対の側から光を照射する。
【００２５】
図５は、照射部１４０の構成を示す図である。図５に示すように、照射部１４０は、バックライト１４１と、調光パネル１４２とを備える。バックライト１４１は、導光板と、導光板のいずれかの辺から光を照射する光源（冷陰極管、発光ダイオードなど）とを有するエッジライト方式を用いたものであってもよいし、表示媒体２００に向けて光を照射する光源と、表示層の各位置に照射される光の強さが均等になるように光を拡散する拡散板とを有する直下型方式を用いたものであってもよい。
【００２６】
調光パネル１４２は、バックライト１４１により照射された光が表示媒体２００に到達する量を調節する。調光パネル１４２は、光を透過する状態と光を遮る状態とに制御される液晶素子を有する複数の画素と、各画素の液晶素子の状態を制御するドライバとを備える。調光パネル１４２は、ドライバにより光を透過する画素と光を遮る画素とを制御することにより、表示媒体２００に光が照射される領域を制御する。
なお、この光を透過する状態とは、そうでない状態（光を遮る状態）よりも多くの光を透過する状態をいい、その透過率が１００％である状態のみを指すものではない。光を遮る状態とは、そうでない状態（光を透過する状態）よりも光の透過を妨げる状態をいい、その透過率が０％である状態のみを指すものではない。しかしながら、光を透過する状態と光を遮る状態とにおける光の透過率の差は、より大きい方が望ましい。
【００２７】
図４に戻って説明を続ける。記憶部１５０は、各種データを記憶する。記憶部１５０は、例えばフラッシュメモリ等の記憶媒体を備えるが、いわゆるメモリカードとそのリーダライタとを備える構成のように、記憶媒体が記録装置１００に対して着脱される構成であってもよい。操作部１６０は、利用者が記録装置１００に対して選択、確認、取り消しなどの指示を行うための操作を行うタッチパネル、キーボードなどであって、利用者の操作を受け付け、操作内容を示す情報を制御部１１０に出力する受付手段として機能する。制御部１１０の制御によって情報が表示される表示画面を有していてもよい。
【００２８】
図６は、本実施形態の制御部１１０が手書きによる画像の記録を行うときに実現する機能的構成を示す機能ブロック図である。制御部１１０は、プログラムを実行することにより、図６に示す位置取得部１１１、電圧制御部１１２、照射制御部１１３、調光制御部１１４および変化時間設定部１１５の各機能を実現する。
【００２９】
位置取得部１１１は、位置特定部１３０から位置データを取得して出力する。
電圧制御部１１２は、位置取得部１１１により取得された位置データに基づいて、表示媒体２００に画像が記録されるときに、電圧印加部１２０に電圧の印加を行わせる。表示媒体２００に印加される電圧は、予め決められた電圧値の電圧であるが、印加を開始して、予め決められた電圧値に到達させるまでの電圧値を変化させるとき、電圧の印加を停止するまでの電圧値を変化させるときにおける電圧値の変化の態様については、変化時間設定部１１５の設定に応じて決められる。詳細については、後述する。
【００３０】
照射制御部１１３は、バックライト１４１が照射する光の強さを制御する。照射制御部１１３は、この制御を、位置取得部１１１により取得された位置データを用いて行う。具体的には、照射制御部１１３は、筆圧オンの状態である期間、およびその後に筆圧オフの状態になったときから、予め決められた時間（後述する照射時間ＴＬ）が経過するまで、バックライト１４１を予め決められた強度Ｌ０で発光させる。
調光制御部１１４は、調光パネル１４２の各画素における液晶素子の状態を制御する。調光制御部１１４は、この制御を、位置取得部１１１により取得された位置データを用いて行う。具体的には、調光制御部１１４は、位置データが示す位置、すなわち指示体３００が指示する位置を認識し、調光パネル１４２の各画素のうち、認識した位置に対応する画素を光が透過する状態に制御する。その結果、照射部１４０は、表示媒体２００における指示体３００が指示している位置に対応する領域に対して光を照射する。そして、指示体３００が指示する位置が移動しても、調光制御部１１４は、指示体３００が指示した位置に対応する領域に対して、予め決められた時間（以下、照射時間ＴＬという）が経過するまでは、光の照射を続ける。
【００３１】
変化時間設定部１１５は、電圧印加部１２０における電圧の印加開始、停止のときの電圧値が変化する時間（変化時間）が設定され、具体的には、電圧印加部１２０における電圧の印加が開始され、予め決められた電圧値に達するまでの立ち上がり時間ＴＡ、および印加されていた電圧を停止させるときの立ち下がり時間ＴＢが設定されている。この設定値に応じて電圧印加部１２０における電圧印加開始および停止のときにおける電圧値の変化の態様が決定される。変化時間設定部１１５は、この例においては、操作部１６０からの操作により、立ち上がり時間ＴＡ、立ち下がり時間ＴＢが設定される。この設定値は、表示媒体２００に対して電圧が印加されたときに液晶層２３０に分圧される電圧の割合が時間の経過に応じて減少する程度（例えば後述する時定数）に対応して定められるものである。このように変化時間設定部１１５の設定に応じて電圧制御部１１２が行う制御を時間制御という。
【００３２】
次に、電圧制御部１１２、照射制御部１１３および調光制御部１１４における制御の一例について図７、図８を用いて説明する。この例においては、利用者の手書きによる画像の記録の一例として、記録装置１００に装着された表示媒体２００上に指示体３００を接触させ、接触させた状態で円を描くように移動させた後、表示媒体２００から指示体３００が離れた場合について説明する。ここでは、時刻ｔ０に指示体３００が表示媒体２００に接触（筆圧オン）し、時刻ｔ３において円を描くのが終了して指示体３００が表示媒体２００から離れた（筆圧オフ）ものとする。
【００３３】
図７は、電圧制御部１１２、照射制御部１１３および調光制御部１１４における制御態様を説明する図である。横軸は時刻の進行を示している。図７（ａ）は電圧制御部１１２の制御態様、図７（ｂ）は照射制御部１１３の制御態様、図７（ｃ）は調光制御部１１４の制御態様を説明する図である。図７（ｃ）において破線で描いた円は、表示媒体２００上を指示体３００が移動することによって描く円を示している。また、Ｐ０からＰ３は、各時刻における指示体３００が指示する位置を示し、Ｗ２からＷ４は、表示媒体２００に対して光が照射される領域を示している。
【００３４】
まず、時刻ｔ０において、筆圧オンの状態になると、電圧制御部１１２は、変化時間設定部１１５に設定された立ち上がり時間ＴＡが経過する時刻ｔ１まで、電圧印加部１２０に印加させる電圧の電圧値を増加させ、予め決められた電圧値Ｖ０に到達させる。この電圧値Ｖ０が印加されているときには、光が照射されていない領域に対応する液晶層２３０に分圧される電圧の電圧値が図３に示すしきい電圧値Ｖｐｆ未満であり、光が照射された領域に対応する液晶層２３０に分圧される電圧の電圧値がしきい電圧値Ｖｐｆ以上しきい電圧値Ｖｆｈ未満となるように、電圧値Ｖ０が決められている。なお、図７（ａ）に示す例においては、一定割合で電圧値を増加させているが、立ち上がり時間ＴＡが経過すると電圧値Ｖ０に到達するように増加させれば、どのような態様で増加させてもよく、単調増加であることが望ましい。
【００３５】
一方、図７（ｂ）に示すように、時刻ｔ０において、筆圧オンの状態になると、照射制御部１１３は、バックライト１４１を予め決められた強度Ｌ０で発光させる。
また、図７（ｃ）に示すように、時刻ｔ０において、調光制御部１１４は、調光パネル１４２を制御して、指示体３００が指示する位置Ｐ０に対応する表示媒体２００の領域に対してバックライト１４１からの光を照射させる。時刻ｔ２において指示体３００が指示する位置が位置Ｐ２まで移動すると、調光制御部１１４は、時刻ｔ２より照射時間ＴＬ前に指示体３００によって指示されていた位置Ａ２から位置Ｐ２までの軌跡Ｗ２に対応する表示媒体２００の領域に対して光を照射させている状態となる。
このように、光が照射されることにより、指示体３００が指示した位置に応じた領域における液晶層２３０がフォーカルコニック配向状態となり、指示した位置に対応して表示媒体２００に画像（黒色の軌跡）が記録されていく。
【００３６】
図７（ｃ）に示すように、時刻ｔ３に達して、指示体３００の指示する位置が位置Ｐ３となり筆圧オフの状態になると、調光制御部１１４は、時刻ｔ３より照射時間ＴＬ前に指示体３００によって指示されていた位置Ａ３から位置Ｐ３までの軌跡Ｗ３に対応する表示媒体２００の領域に対して光を照射させている状態となる。調光制御部１１４は、時刻ｔ３から照射時間ＴＬが経過する前の時刻ｔ４においては、時刻ｔ４より照射時間ＴＬ前に指示体３００によって指示されていた位置Ａ４から指示体３００を表示媒体２００から離した位置Ｐ３までの軌跡Ｗ４に対応する表示媒体２００の領域に対して光を照射させている状態となる。そして、時刻ｔ３から照射時間ＴＬが経過した時刻ｔ５においては、表示媒体２００に対して光が照射される領域は消滅する。
また、照射制御部１１３は、時刻ｔ５において、バックライト１４１の発光を停止する。なお、図７（ｂ）においては、照射制御部１１３は、時刻ｔ５においてバックライト１４１の発光を停止させているが、時刻ｔ５を過ぎてから停止させてもよい。
【００３７】
時刻ｔ５から、予め決められた時間が経過した時刻ｔ６に達すると、電圧制御部１１２は、変化時間設定部１１５に設定された立ち下がり時間ＴＢが経過する時刻ｔ７まで、電圧印加部１２０に印加させる電圧の電圧値を減少させ、電圧の印加を停止（この例においては「０Ｖ」）させる。なお、図７（ａ）に示す例においては、一定割合で電圧値を減少させているが、立ち上がり時間ＴＢが経過すると印加される電圧が停止されるように減少させれば、どのような態様で減少させてもよく、単調減少であることが望ましい。
上述の電圧制御部１１２、照射制御部１１３および調光制御部１１４における一連の制御により、利用者が指示体３００を用いて手書きにより描いた円が表示媒体２００に画像として記録される。
【００３８】
上述した制御において、電圧制御部１１２は、表示媒体２００に電圧を印加するときには、立ち上がり時間ＴＡ、立ち下がり時間ＴＢを設けて、印加する電圧の電圧値の制御を行っていたが、これらの時間を設けない場合、およびこれらの時間の長さを変更した場合のそれぞれにおける影響について、シミュレーション結果を用いて説明する。
【００３９】
図８は、シミュレーションに用いた表示媒体における液晶層２３０Ｓおよび感光層２４０Ｓの等価回路を示す図である。シミュレーションに用いる液晶層２３０Ｓおよび感光層２４０Ｓの等価回路は、それぞれ、抵抗とコンデンサとが並列に接続されたもので表される。この例においては、感光層２４０Ｓは、７ＭΩの抵抗Ｒ１、４０ｎＦのコンデンサＣ１、液晶層２３０Ｓは、４００ｋΩの抵抗Ｒ２、２００ｎＦのコンデンサＣ２であるものとしてシミュレーションを行った。以下の説明においては、液晶層２３０Ｓおよび感光層２４０Ｓ全体に対して印加される電圧ＶＡは、実施形態における表示媒体２００に対して印加される電圧に対応している。また、液晶層２３０Ｓに分圧される電圧ＶＢは、実施形態における液晶層２３０に分圧される電圧に対応している。
【００４０】
図９は、電圧ＶＡとしてパルス電圧を印加した場合における電圧ＶＢの電圧値の変化を示す図である。横軸は時刻の進行を示し、縦軸は液晶層２３０Ｓに分圧される電圧ＶＢの電圧値である。このシミュレーションの結果は、電圧ＶＡが０から０．５（ｓｅｃ．）まで１００Ｖで印加されている場合における電圧ＶＢの電圧値の変化を示している。すなわち、立ち上がり時間ＴＡ、立ち下がり時間ＴＢが設けられていない場合を示している。この例においては、電圧ＶＡのように電圧値が変化する場合をパルス電圧という
【００４１】
図９に示すように、電圧ＶＡの印加中においては、電圧ＶＢは時間の経過に伴い減少する。すなわち、液晶層２３０Ｓに分圧される電圧の割合が時間の経過に伴い減少していく。この例においては、減少の程度に対応する時定数は、概ね９０ｍｓｅｃ．である。そして、電圧ＶＡの印加が停止すると、逆極性の電圧値が発生して、０Ｖに漸近していく。このように、電圧ＶＡの印加開始直後、印加停止直後においては、電圧ＶＢの電圧値の絶対値が電圧ＶＡ印加中のそれ以外の期間に比べて大きくなる期間（以下、これら期間における電圧ＶＢの電圧値の変化を、それぞれ、立ち上がり時のピーク、立ち下がり時のピークという）が発生する。立ち上がり時のピーク、立ち下がり時のピークにより、しきい電圧値Ｖｐｆを一時的に超える状態が生じると、表示媒体２００に対して光照射が行われていない液晶層２３０の領域においても、プレーナ配向状態である領域がわずかにフォーカルコニック配向状態に変化し、反射率が低下する場合がある。反射率が低下すると、元々表示媒体に２００に記録されていた画像のコントラストの低下を招く。また、上述のように指示体３００を用いた画像の記録が行われるたびに、コントラストの低下を招き、その影響が大きくなる。次に、電圧ＶＡに立ち上がり時間ＴＡ、立ち下がり時間ＴＢを設けた場合のシミュレーション結果について、図１０、図１１を用いて説明する。
【００４２】
図１０は、立ち上がり時間ＴＡ、立ち下がり時間ＴＢにおいて指数関数的に電圧値が変化する電圧ＶＡ、および電圧ＶＡを印加した場合における電圧ＶＢの電圧値の変化を示す図である。図１０（ａ）は、横軸が時刻の進行を示し、縦軸が電圧ＶＡの電圧値を示している。図１０（ｂ）は、横軸が時刻の進行を示し、縦軸が電圧ＶＢの電圧値を示している。
図１０（ａ）には、電圧ＶＡの立ち上がり時間ＴＡおよび立ち下がり時間ＴＢに対応する期間について、時定数が４５ｍｓｅｃ．、９０ｍｓｅｃ．、１８０ｍｓｅｃ．で指数関数的に目標とする電圧値（立ち上がり時は１００Ｖ、立ち下がり時は０Ｖ）に漸近するように変化させた場合の電圧ＶＡを示している。図１０（ｂ）は、このようにして電圧ＶＡが印加された場合の電圧ＶＢを示している。また、比較対象として、図９に示した電圧ＶＢ（図中の「０ｍｓｅｃ．」の波形）についても併せて記載してある。
【００４３】
図１０（ｂ）に示すように、電圧ＶＡの立ち上がり、立ち下がりの時間を制御することにより、電圧ＶＡがパルス電圧である場合（図９）において見られた電圧ＶＢにおける立ち上がり時のピーク、立ち下がり時のピークが小さくなり、上述したコントラストの低下が抑制される。電圧ＶＡの立ち上がり、立ち下がりが指数関数的に目標とする電圧に漸近させるものである場合には、その指数関数的に変化する場合の時定数が、パルス電圧の電圧ＶＡを印加した場合における電圧ＶＢの時定数に応じて決めることが望ましい。例えば、電圧ＶＡが立ち上がり時間ＴＡ、立ち下がり時間ＴＢにおいて指数関数的に変化する場合の時定数が、パルス電圧の電圧ＶＡを印加した場合における電圧ＶＢの時定数の１／４から４倍であることが望ましく、より望ましくは１／２から２倍であればよい。
また、指数関数的に変化する場合の時定数は、電圧ＶＢの最大電圧値（絶対値）が、予め決められた電圧値（例えば、しきい電圧値Ｖｐｆ）を超えないように決められてもよい。なお、電圧ＶＡが指数関数的に変化する場合における０から５００ｍｓｅｃ．の電圧ＶＢの電圧値の積分値が、電圧ＶＡがパルス電圧である場合における電圧ＶＢに係る積分値の１／２以下になるように、その指数関数的に変化する場合の時定数が決められるようにしてもよい。いずれの決め方によっても、パルス電圧の電圧ＶＡを印加した場合における電圧ＶＢの時定数に関連して立ち上がり時間ＴＡ、立ち下がり時間ＴＢが決められている。
ここで、指数関数的に漸近する場合には、予め決められた割合（例えば、目標とする電圧値の９５％など）に達したら、目標とする電圧値に達したものとして、立ち上がり時間ＴＡ、立ち下がり時間ＴＢを定めてもよい。
【００４４】
利用者は、予め画像を記録すべき表示媒体２００におけるパルス電圧の電圧ＶＡが印加された場合の電圧ＶＢに対応する電圧値の変化を測定しておき、電圧ＶＢの電圧値の変化に係る時定数に応じて、変化時間設定部１１５に立ち上がり時間ＴＡおよび立ち下がり時間ＴＢを設定するようにすればよい。なお、立ち上がり時間ＴＡと立ち下がり時間ＴＢとは必ずしも一致した時間でなくてもよい。
【００４５】
図１１は、立ち上がり時間ＴＡ、立ち下がり時間ＴＢにおいて一定の割合で電圧値が変化する電圧ＶＡ、および電圧ＶＡを印加した場合における電圧ＶＢの電圧値の変化を示す図である。図１１（ａ）は、横軸が時刻の進行を示し、縦軸が電圧ＶＡの電圧値を示している。図１１（ｂ）は、横軸が時刻の進行を示し、縦軸が電圧ＶＢの電圧値を示している。
図１１（ａ）には、電圧ＶＡの立ち上がり時間ＴＡおよび立ち下がり時間ＴＢについて、４５ｍｓｅｃ．、９０ｍｓｅｃ．、１８０ｍｓｅｃ．として変化させた場合の電圧ＶＡを示している。図１１（ｂ）は、このようにして電圧ＶＡが印加された場合の電圧ＶＢを示している。また、比較対象として、図９に示した電圧ＶＢ（図中の「０ｍｓｅｃ．」の波形）についても併せて記載してある。
【００４６】
図１１（ｂ）に示すように、電圧ＶＡの立ち上がり、立ち下がりの時間を制御することにより、電圧ＶＡがパルス電圧である場合（図９）において見られた電圧ＶＢにおける立ち上がり時のピーク、立ち下がり時のピークが小さくなり、上述したコントラストの低下が抑制される。このようにして電圧値が変化する電圧ＶＡであっても、図１０において説明したようにコントラストの低下が抑制される。
そして、電圧ＶＡの立ち上がり、立ち下がりが一定の割合で変化するものである場合には、立ち上がり時間ＴＡ、立ち下がり時間ＴＢを、パルス電圧の電圧ＶＡを印加した場合における電圧ＶＢの時定数に応じて決めることが望ましい。例えば、立ち上がり時間ＴＡ、立ち下がり時間ＴＢが、パルス電圧の電圧ＶＡを印加した場合における電圧ＶＢの時定数の１／４から４倍であることが望ましく、より望ましくは１／２から２倍であればよい。
また、立ち上がり時間ＴＡ、立ち下がり時間ＴＢは、電圧ＶＢの最大電圧値（絶対値）が、予め決められた電圧値（例えば、しきい電圧値Ｖｐｆ）を超えないように決められてもよい。なお、電圧ＶＡが立ち上がり時間ＴＡ、立ち下がり時間ＴＢにおいて一定の割合で変化する場合における０から５００ｍｓｅｃ．の電圧ＶＢの電圧値の積分値が、電圧ＶＡがパルス電圧である場合における電圧ＶＢに係る積分値の１／２以下になるように、立ち上がり時間ＴＡ、立ち下がり時間ＴＢが決められるようにしてもよい。いずれの決め方によっても、パルス電圧の電圧ＶＡを印加した場合における電圧ＶＢの時定数に関連して立ち上がり時間ＴＡ、立ち下がり時間ＴＢが決められている。
【００４７】
利用者は、予め画像を記録すべき表示媒体２００におけるパルス電圧の電圧ＶＡが印加された場合の電圧ＶＢに対応する電圧値の変化を測定しておき、電圧ＶＢの電圧値の変化に係る時定数に応じて、変化時間設定部１１５に立ち上がり時間ＴＡおよび立ち下がり時間ＴＢを設定するようにすればよい。なお、立ち上がり時間ＴＡと立ち下がり時間ＴＢとは必ずしも一致した時間でなくてもよい。
【００４８】
以上、電圧ＶＡの立ち上がり時間ＴＡ、立ち下がり時間ＴＢにおける電圧値の変化について、２つの態様を説明したが、これらの態様に限られるものではなく、立ち上がり時間ＴＡ、立ち下がり時間ＴＢに対応する期間において、目標とする電圧値に到達するように変化し、これにより、電圧ＶＡがパルス電圧である場合の電圧ＶＢにおける立ち上がり時のピーク、立ち下がり時のピークが小さくなればよい。また、立ち上がり時間、立ち下がり時間において、どのように電圧値を変化させるか（一定の割合での変化、指数関数的な変化など）については、電圧制御部１１２に予め設定されるようにすればよい。
【００４９】
指示体３００に指示された位置に応じた画像を表示媒体２００に記録する場合について説明したが、続いて、記憶部１５０などに記憶された画像を示す画像情報に応じて、表示媒体２００に画像を記録する場合について説明する。
利用者が操作部１６０を操作するなどして、記録装置１００に装着された表示媒体２００に対して画像情報に応じた画像の記録を記録装置１００に指示すると、制御部１１０は、画像情報を記憶部１５０などから取得し、画像の白色に対応する領域と黒色に対応する領域を認識する。
【００５０】
そして、制御部１１０（上述した電圧制御部１１２であってもよい、以下同じ）は、液晶層２３０に分圧される電圧が、しきい電圧値Ｖｆｈ以上となるように、電圧印加部１２０に印加させる電圧を制御する。ここで、電圧印加部１２０に印加させる電圧は、例えば、パルス電圧であるが、立ち上がり時間、立ち下がり時間が設けられたものであってもよい。その場合には、制御部１１０は、立ち上がり時間、立ち下がり時間を、変化時間設定部１１５に設定された立ち上がり時間ＴＡ、立ち下がり時間ＴＢよりも短くなるように電圧印加部１２０を制御する。電圧印加部１２０が電圧を印加する時間が短い場合、印加する電圧が周波数の高い交流である場合には短くすることが効果的であり、また、立ち上がり時のピーク、立ち下がり時のピークが発生して一時的に液晶層２３０に高電圧が印加される状態となっても、ここで印加すべき電圧値がしきい電圧値Ｖｆｈ以上であることから配向状態への影響が少ない。
ただし、立ち下がり時間については、電圧印加部１２０による電圧の印加が停止したときに、液晶層２３０における配向状態がホメオトロピック配向状態からプレーナ配向状態に変化するように、予め決められた時間より短く制御する。この時間より長くなるように制御すると、プレーナ配向状態に変化する前にフォーカルコニック配向状態に変化してしまうからである。この例においては、立ち下がり時間ＴＢは、この予め決められた時間よりも長い時間として設定されているものとする。
なお、制御部１１０は、照射部１４０を制御して、表示媒体２００の画像が記録される領域全面に光を照射して、その結果、液晶層２３０に分圧される電圧がしきい電圧値Ｖｆｈ以上となるようにしてもよい。また、全面ではなく一部の領域に光が照射されるようにして、その一部領域をプレーナ配向状態に変化させてもよい。
【００５１】
このようにして、表示媒体２００には全面白色の画像が記録される。そして、制御部１１０は、液晶層２３０に分圧される電圧が、光が照射されない領域では、しきい電圧値Ｖｐｆ未満となり、光が照射された領域では、しきい電圧値Ｖｐｆ以上となるように、電圧印加部１２０に印加させる電圧を制御する。この電圧については、パルス電圧であってもよいし、立ち上がり時間、立ち下がり時間が設けられたものであってもよい。立ち上がり時間、立ち下がり時間が設けられる場合には、それぞれ、変化時間設定部１１５に設定された立ち上がり時間ＴＡ、立ち下がり時間ＴＢとすれば、コントラストの低下が抑制される。
また、制御部１１０は、画像情報が示す画像の黒色に対応する表示媒体２００の領域に光を照射するように、照射部１４０を制御する。これにより、表示媒体２００には、画像情報が示す画像が記録される。このようにして画像が記録された表示媒体２００を用いて、上述した利用者の手書きによる画像の記録を行って、すでに記録されている画像に追記してもよい。
【００５２】
このように、本発明の実施形態に係る記録装置１００は、光記録型の表示媒体２００に対して、指示体３００の指示に応じた画像を記録するときに印加する電圧について、電圧の印加開始、印加停止のときの電圧値が変化する時間を制御して、液晶層２３０に分圧される電圧に生じる立ち上がり時のピーク、立ち下がり時のピークを小さくする。これにより、既に記録されている画像のコントラストの低下を抑制する。
【００５３】
＜変形例＞
上述した実施形態は、本発明の一例である。本発明は、上述した実施形態に限られず、例えば、以下の変形例によって実施されてもよい。また、本発明は、以下の変形例を組み合わせた実施を妨げない。
［変形例１］
上述した実施形態においては、電圧制御部１１２の時間制御において立ち上がり時間および立ち下がり時間を設けていたが、いずれか一方の時間のみ設けてもよい。また、電圧制御部１１２における立ち上がり時間および立ち下がり時間は、変化時間設定部１１５に設定された立ち上がり時間ＴＡ、立ち下がり時間ＴＢに応じた時間であればよく、必ずしも一致している必要はない。
【００５４】
［変形例２］
上述した実施形態においては、電圧制御部１１２が行う時間制御において、立ち上がり時間は、変化時間設定部１１５に設定された立ち上がり時間ＴＡとしていたが、時間制御が行われた後に、再び指示体３００の指示に応じた画像の記録を行うことにより時間制御が行われる場合には、その間の時間が予め決められた時間より短い場合に、再び行う時間制御における立ち上がり時間を先に行う時間制御における立ち上がり時間ＴＡより短くしてもよい。
電圧ＶＡにおける立ち下がり時間に対応する期間の電圧ＶＢの電圧値が「０Ｖ」になる前に、再び時間制御が行われ電圧ＶＡが印加されると、そのときの電圧ＶＢの電圧値の影響により、立ち上がり時のピークが小さくなる。したがって、電圧ＶＢの電圧値が「０Ｖ」になる前に、再び時間制御が行われる場合には、立ち上がり時間を立ち上がり時間ＴＡより短くしてもコントラストの低下が抑制される。また、電圧ＶＢの電圧値が大きいほど再び時間制御を行うときの立ち上がり時のピークが低減されるから、時間制御が行われる間隔が短いほど、より短い立ち上がり時間になるように時間制御をしてもよい。
【００５５】
［変形例３］
上述した実施形態においては、電圧制御部１１２が行う時間制御において、立ち下がり時間は、変化時間設定部１１５に設定された立ち下がり時間ＴＢとしていたが、電圧制御部１１２が電圧を印加する時間が予め決められた時間より短い場合には、立ち下がり時間が立ち下がり時間ＴＢより短くなるようにしてもよい。
電圧ＶＡ印加時間が短いほど印加停止時における電圧ＶＢの電圧値は高くなる。この電圧ＶＢの電圧値が高いほど、立ち下がり時のピークが小さくなる。したがって、電圧ＶＢの電圧値が高い場合、すなわち筆圧オンの時間が短く電圧印加時間が短い場合は、立ち下がり時間を立ち下がり時間ＴＢより短くしてもコントラストの低下が抑制される。また、電圧ＶＢの電圧値が大きいほど、立ち下がり時のピークが低減されるから、電圧印加時間が短いほど、より短い立ち下がり時間になるように時間制御をしてもよい。
【００５６】
［変形例４］
上述した実施形態においては、表示媒体２００にパルス電圧を印加したときの液晶層２３０に分圧される電圧の時間の経過に伴う減少の程度を示す時定数を予め測定し、測定結果に応じて利用者が操作部１６０を操作するなどして変化時間設定部１１５の設定を行っていたが、別の方法で設定されるようにしてもよい。
例えば、記録装置１００に、表示媒体２００にパルス電圧を印加したときの液晶層２３０に分圧される電圧の時間の経過に伴う減少の程度を示す時定数の測定を行う測定手段を設け、制御部１１０は、測定手段による測定結果に応じて変化時間設定部１１５の設定を行うようにすればよい。このとき、測定手段によって測定するための測定用の素子を表示媒体２００に設けておいてもよい。
【００５７】
なお、利用者が予め測定しておくもの、または測定手段が測定するものは時定数でなくてもよく、表示媒体２００に対してパルス電圧を印加したときの液晶層２３０に分圧される電圧の時間の経過に伴う減少の程度に関する物理量を測定するものであればよい。さらに、表示媒体２００に対して印加する電圧がパルス電圧でなくてもよく、その場合には、表示媒体２００に対して印加される電圧のうち、液晶層２３０に分圧される電圧の割合の時間の経過に伴う減少の程度に関する物理量を測定してもよい。
【００５８】
［変形例５］
上述した実施形態において、液晶層２３０に分圧される電圧の変化に応じて、感光層２４０に分圧される電圧についても変化していくことになる。感光層２４０に分圧される電圧の大きさが大きいほど、また、照射される光の強度が大きいほど、光が照射された領域の抵抗値の変化量が大きくなる構成である場合は、照射制御部１１３は、感光層２４０に分圧される電圧の大きさに応じてバックライト１４１の光の強度を変化させるようにしてもよい。バックライト１４１の光の強度の変化の態様については、予め感光層２４０に分圧される電圧の大きさを測定、シミュレーションなどにより取得しておき、照射制御部１１３に設定しておいてもよい。なお、バックライト１４１の光の強度を変化させるのではなく、調光パネル１４２の透過率を変化させて表示媒体２００に照射される光の強度を変化させてもよい。
【００５９】
［変形例６］
上述した実施形態においては、記録される画像が白黒である表示媒体２００を用いて説明したが、異なる色を反射する液晶層を積層した表示媒体を用いて、カラーの画像を記録するものに適用してもよい。この場合においても、表示媒体に印加する電圧に立ち上がり時間、立ち下がり時間を設ければよく、これにより、各液晶層において分圧される電圧の立ち上がり時のピーク、立ち下がり時のピークが小さくなる。
【符号の説明】
【００６０】
１０…記録システム、１００…記録装置、１１０…制御部、１１１…位置取得部、１１２…電圧制御部、１１３…照射制御部、１１４…調光制御部、１１５…変化時間設定部、１２０…電圧印加部、１３０…位置特定部、１４０…照射部、１４１…バックライト、１４２…調光パネル、１５０…記憶部、１６０…操作部、２００…表示媒体、２１０，２６０…保護層、２２０，２５０…透明導電層、２２１，２５１…端子、２３０…液晶層、２４０…感光層、３００…指示体
【図１】
2011123264.tif 000003
【図２】
2011123264.tif 000004
【図３】
2011123264.tif 000005
【図４】
2011123264.tif 000006
【図５】
2011123264.tif 000007
【図６】
2011123264.tif 000008
【図７】
2011123264.tif 000009
【図８】
2011123264.tif 000010
【図９】
2011123264.tif 000011
【図１０】
2011123264.tif 000012
【図１１】
2011123264.tif 000013